(57)【特許請求の範囲】
【請求項１】
特定ユーザによって運用される無線基地局と、
前記無線基地局の無線リソースに対する需要の高さに関する情報を前記無線基地局に送信するネットワーク装置と
を有し、
前記無線基地局は、
前記需要の高さに関する情報を受信する受信部と、
前記受信部が受信した前記需要の高さに関する情報に基づいて、自局へのアクセスを許可する無線端末を前記特定ユーザの無線端末のみに制限するアクセス制限を行うか否かの切り替えを制御する制御部と
を有し、
前記需要の高さに関する情報は、前記需要の高さに応じて前記特定ユーザに支払われる価格を示す通信システム。
【請求項２】
特定ユーザによって運用される無線基地局であって、
自局の無線リソースに対する需要の高さに関する情報を受信する受信部と、
前記受信部が受信した前記需要の高さに関する情報に基づいて、自局へのアクセスを許可する無線端末を前記特定ユーザの無線端末のみに制限するアクセス制限を行うか否かの切り替えを制御する制御部と
を有し、
前記需要の高さに関する情報は、前記需要の高さに応じて前記特定ユーザに支払われる価格を示す無線基地局。
【請求項３】
ネットワーク装置が、特定ユーザによって運用される無線基地局の無線リソースに対する需要の高さに関する情報を前記無線基地局に送信するステップと、
前記無線基地局が、前記需要の高さに関する情報を受信するステップと、
前記無線基地局が、前記受信するステップで受信した前記需要の高さに関する情報に基づいて、自局へのアクセスを許可する無線端末を前記特定ユーザの無線端末のみに制限するアクセス制限を行うか否かの切り替えを制御するステップと
を有し、
前記需要の高さに関する情報は、前記需要の高さに応じて前記特定ユーザに支払われる価格を示す通信制御方法。
【発明の詳細な説明】
【技術分野】
【０００１】
本発明は、様々な無線基地局が混在するヘテロジーニアスネットワークで用いられる通信システム、無線基地局、ネットワーク装置、及び通信制御方法に関する。
【背景技術】
【０００２】
近年、無線通信技術の発達に伴い、特定ユーザ（特定の個人或いは特定の組織）によって運用される小型の自営無線基地局が実用化されている。移動通信システムの標準化団体である３ＧＰＰ（3rdGeneration Partnership Project）では、上記の自営無線基地局はホーム無線基地局（HeNB: Home eNodeB）と称され、当該ホーム無線基地局の仕様が標準化されている。ホーム無線基地局が普及することで、公衆無線基地局の負荷をホーム無線基地局に分散させることが可能である。
【０００３】
ホーム無線基地局は、自局へのアクセスを許可する無線端末（UE: User Equipment）を特定ユーザの無線端末に制限（以下、アクセス制限）するか、第三者の無線端末に対して自局へのアクセスを許可するかの何れかのアクセス種別を設定可能である。アクセス制限が行われるホーム無線基地局の通信エリアは、ＣＳＧ（Closed Subscriber Group）セルと称される。ＣＳＧセルにおいては、事前登録された特定ユーザ以外の第三者の無線端末からホーム無線基地局へのアクセスは拒否される（例えば非特許文献１参照）。
【先行技術文献】
【非特許文献】
【０００４】
【非特許文献１】3GPP TS 36.300 V9.1.0 (2009-09), “Evolved Universal Terrestrial Radio Access (E-UTRA) and Evolved Universal Terrestrial Radio Access Network (E-UTRAN); Overall description; Stage 2”,  4.6 Support of HeNB
【発明の概要】
【発明が解決しようとする課題】
【０００５】
ところで、公衆無線基地局が通信サービスを提供するエリア内に多数の無線端末がある場合等においては、公衆基地局の無線リソース（周波数や時間スロット等）が不足するため、当該エリア内のホーム無線基地局はアクセス制限を行わずに自局の無線リソースを第三者に開放することが好ましい。
【０００６】
しかしながら、ホーム無線基地局のアクセス制限の有無は、当該ホーム無線基地局を運用する特定ユーザの意志に応じて設定されることが想定されており、ホーム無線基地局の無線リソースを有効活用できない問題があった。
【０００７】
そこで、本発明は、無線リソースの有効活用を図ることができる通信システム、無線基地局、ネットワーク装置、及び通信制御方法を提供することを目的とする。
【課題を解決するための手段】
【０００８】
上述した課題を解決するために、本発明は以下のような特徴を有している。まず、本発明に係る通信システムの特徴は、特定ユーザによって運用される無線基地局（例えばホーム無線基地局ＨｅＮＢ）と、前記無線基地局の無線リソースに対する需要の高さに関する情報（例えば買い付け価格情報又はリソース使用情報）を前記無線基地局に送信するネットワーク装置（例えばサーバ装置１００）とを有し、前記無線基地局は、前記需要の高さに関する情報を受信する受信部（ネットワーク通信部２４０）と、前記受信部が受信した前記需要の高さに関する情報に基づいて、自局へのアクセスを許可する無線端末を前記特定ユーザの無線端末のみに制限するアクセス制限を行うか否かの切り替えを制御する制御部（制御部２２０）とを有し、前記需要の高さに関する情報は、前記需要の高さに応じて前記特定ユーザに支払われる価格を示すことを要旨とする。
【０００９】
このような特徴によれば、無線基地局は、自局の無線リソースに対する需要の高さに関する情報に基づいてアクセス制限を行うか否かの切り替えを動的に制御するため、当該無線基地局の有効活用を図ることができる。
【００１０】
本発明に係る通信システムの他の特徴は、上記の特徴に係る通信システムにおいて、前記制御部は、前記アクセス制限を行っている場合であって、前記受信部が受信した前記需要の高さに関する情報が、前記特定ユーザによって設定された解除条件を満たすとき、前記アクセス制限を解除するよう制御することを要旨とする。
【００１１】
本発明に係る通信システムの他の特徴は、上記の特徴に係る通信システムにおいて、前記ネットワーク装置は、前記無線基地局の周辺にある周辺基地局から、前記周辺基地局の無線リソースの使用状況を示すリソース使用情報を収集する情報収集部（情報収集部１２１）と、前記情報収集部によって収集された前記リソース使用情報に基づいて前記需要の高さに関する情報を生成する情報生成部（情報生成部１２３）とをさらに有することを要旨とする。
【００１２】
本発明に係る通信システムの他の特徴は、上記の特徴に係る通信システムにおいて、前記情報生成部は、前記情報収集部によって収集された前記リソース使用情報を統計解析した結果に応じて前記需要の高さに関する情報を生成することを要旨とする。
【００１３】
本発明に係る通信システムの他の特徴は、上記の特徴に係る通信システムにおいて、前記ネットワーク装置は、前記無線基地局の周辺で行われるイベントの情報に基づいて前記需要の高さに関する情報を生成する情報生成部（情報生成部１２３）をさらに有することを要旨とする。
【００１４】
本発明に係る通信システムの他の特徴は、上記の特徴に係る通信システムにおいて、前記ネットワーク装置は、前記アクセス制限を禁止する旨の情報を前記無線基地局に送信し、前記制御部は、前記ネットワーク装置から前記アクセス制限を禁止する旨の情報を受信した場合に、前記アクセス制限を行わないように制御することを要旨とする。
【００１５】
本発明に係る通信システムの他の特徴は、上記の特徴に係る通信システムにおいて、前記ネットワーク装置は、前記アクセス制限を強制する旨の情報を前記無線基地局に送信し、前記制御部は、前記ネットワーク装置から前記アクセス制限を強制する旨の情報を受信した場合に、前記アクセス制限を行うように制御することを要旨とする。
【００１６】
本発明に係る無線基地局の特徴は、特定ユーザによって運用される無線基地局（例えばホーム無線基地局ＨｅＮＢ）であって、自局の無線リソースに対する需要の高さに関する情報を受信する受信部（ネットワーク通信部２４０）と、前記受信部が受信した前記需要の高さに関する情報に基づいて、自局へのアクセスを許可する無線端末を前記特定ユーザの無線端末のみに制限するアクセス制限を行うか否かの切り替えを制御する制御部（制御部２２０）とを有し、前記需要の高さに関する情報は、前記需要の高さに応じて前記特定ユーザに支払われる価格を示すことを要旨とする。
【００１８】
本発明に係る通信制御方法の特徴は、ネットワーク装置が、特定ユーザによって運用される無線基地局の無線リソースに対する需要の高さに関する情報を前記無線基地局に送信するステップと、前記無線基地局が、前記需要の高さに関する情報を受信するステップと、前記無線基地局が、前記受信するステップで受信した前記需要の高さに関する情報に基づいて、自局へのアクセスを許可する無線端末を前記特定ユーザの無線端末のみに制限するアクセス制限を行うか否かの切り替えを制御するステップとを有し、前記需要の高さに関する情報は、前記需要の高さに応じて前記特定ユーザに支払われる価格を示すことを要旨とする。
【発明の効果】
【００１９】
本発明によれば、無線リソースの有効活用を図ることができる通信システム、無線基地局、ネットワーク装置、及び通信制御方法を提供できる。
【図面の簡単な説明】
【００２０】
【図１】第１実施形態に係る通信システムの概略構成図である。
【図２】公衆無線基地局及びホーム無線基地局の実使用環境の一例を示す概略図である。
【図３】第１実施形態に係るサーバ装置のブロック構成図である。
【図４】第１実施形態に係るホーム無線基地局のブロック構成図である。
【図５】第１実施形態に係る通信システムの動作を示す動作シーケンス図である。
【図６】第２実施形態に係る通信システムの動作を示す動作シーケンス図である。
【図７】第３実施形態に係る通信システムの動作を示す動作シーケンス図である。
【図８】第４実施形態に係る通信システムの動作を示す動作シーケンス図である。
【図９】第２実施形態と第４実施形態とを組み合わせた場合の動作を示す動作シーケンス図である。
【発明を実施するための形態】
【００２１】
図面を参照して、本発明の第１実施形態〜第４実施形態、及びその他の実施形態を説明する。以下の各実施形態における図面において、同一又は類似の部分には同一又は類似の符号を付す。
【００２２】
（１）第１実施形態
第１実施形態においては、（１．１）通信システムの構成、（１．２）第１実施形態に係る通信システムの動作、（１．４）第１実施形態の効果の順に説明する。
【００２３】
（１．１）通信システムの構成
（１．１．１）全体概略構成
図１は、第１実施形態に係る通信システムの概略構成図である。当該通信システムは、第３．９世代（３．９G）セルラ通信システムであるＬＴＥ（3GPP Release 8又はRelease 9）に基づく構成、または、第４世代（４Ｇ）セルラ通信システムとして位置づけられているＬＴＥ−Ａｄｖａｎｃｅｄに基づく構成を有する。
【００２４】
図１に示すように、複数の公衆無線基地局ｅＮＢ、複数のホーム無線基地局ＨｅＮＢ、及びゲートウェイ装置（ＨｅＮＢ  ＧＷ: Home eNodeB Gateway）は、Ｅ−ＵＴＲＡＮ（Evolved-UMTS Terrestrial Radio Access Network）を構成する。各公衆無線基地局ｅＮＢ及び各ホーム無線基地局ＨｅＮＢは、無線端末ＵＥに通信サービスを提供するエリアであるセルを形成する。
【００２５】
各公衆無線基地局ｅＮＢは、例えば大型のセル（マクロセル）を形成するマクロセル基地局である。各公衆無線基地局ｅＮＢは、通信事業者によって運営される。各公衆無線基地局ｅＮＢは、基地局間通信を提供する論理的な通信路であるＸ２インターフェースを介して互いに通信可能である。各公衆無線基地局ｅＮＢは、Ｓ１インターフェース及びゲートウェイ装置（Ｓ−ＧＷ: Serving Gateway）を介して、コアネットワーク５０のサーバ装置１００と通信可能である。各公衆無線基地局ｅＮＢは、Ｓ１インターフェースを介して、制御メッセージを移動管理装置（ＭＭＥ: Mobility Management Entity）と送受信する。
【００２６】
各ホーム無線基地局ＨｅＮＢは、例えば小型のセル（フェムトセル）を形成するフェムトセル基地局である。各ホーム無線基地局ＨｅＮＢは、Ｓ１インターフェース及びゲートウェイ装置（ＨｅＮＢ  ＧＷ、Ｓ−ＧＷ）を介して、コアネットワーク５０のサーバ装置１００と通信可能である。各ホーム無線基地局ＨｅＮＢは、Ｓ１インターフェースを介して、制御メッセージを移動管理装置（ＭＭＥ）と送受信する。
【００２７】
各ホーム無線基地局ＨｅＮＢは、特定ユーザが所有する小型無線基地局、又は、通信事業者から特定ユーザに貸与される小型無線基地局であって、当該特定ユーザによって運用される。各ホーム無線基地局ＨｅＮＢは、特定ユーザが契約した一般通信回線（ＡＤＳＬ又は光回線）に接続される。ホーム無線基地局ＨｅＮＢは、“ｃｌｏｓｅｄ”や”ｏｐｅｎ”（或いは“ｈｙｂｒｉｄ”）といったアクセス種別を設定可能である。“ｃｌｏｓｅｄ”では、特定ユーザの無線端末ＵＥのアクセスのみが許可（アクセス制限）される。
【００２８】
一方、”ｏｐｅｎ”（或いは“ｈｙｂｒｉｄ”）では、特定ユーザの無線端末ＵＥだけでなく、特定ユーザ以外のユーザの無線端末ＵＥのアクセスも許可される。なお、アクセス制限をせずに、特定ユーザの無線端末ＵＥのサービス品質を、特定ユーザ以外のユーザの無線端末ＵＥのサービス品質よりも高くする“ｈｙｂｒｉｄ”というアクセス種別もあるが、”ｏｐｅｎ”（或いは“ｈｙｂｒｉｄ”）の一形態であるとみなすことができる。
【００２９】
ホーム無線基地局ＨｅＮＢ及び移動管理装置（ＭＭＥ）は、アクセス種別に応じたアクセス制御を行う。アクセス種別及びアクセス制御の詳細については、非特許文献１、及び3GPP TS 36.331 “Evolved Universal Terrestrial Radio Access (E-UTRA) Radio Resource Control (RRC) Protocol specification”を参照されたい。
【００３０】
図２は、公衆無線基地局ｅＮＢ及びホーム無線基地局ＨｅＮＢの実使用環境の一例を示す概略図である。
【００３１】
図２に示すように、公衆無線基地局ｅＮＢの通信エリア内に多数の無線端末ＵＥがある場合、公衆無線基地局ｅＮＢの無線リソースが不足する。この場合、当該通信エリア内のホーム無線基地局ＨｅＮＢがアクセス種別を“ｃｌｏｓｅｄ”に設定していると、公衆無線基地局ｅＮＢの通信エリア内にある無線端末ＵＥであって、特定ユーザ以外のユーザの無線端末ＵＥは、良好な通信サービスを受けることができない。
【００３２】
そこで、第１実施形態では、通信事業者からホーム無線基地局ＨｅＮＢを運営する特定ユーザへの利用料の支払いを前提として、通信事業者のサーバ装置１００が、定期的に、ホーム無線基地局ＨｅＮＢの無線リソースに対する現時点の需要に応じた買い付け価格を示す買い付け価格情報をホーム無線基地局ＨｅＮＢに送信する。
【００３３】
ホーム無線基地局ＨｅＮＢは、サーバ装置１００から受信した買い付け価格情報に応じて、アクセス種別を”ｏｐｅｎ”（或いは“ｈｙｂｒｉｄ”）、又は“ｃｌｏｓｅｄ”に切り替える。アクセス種別を”ｏｐｅｎ”（或いは“ｈｙｂｒｉｄ”）とした期間については、特定ユーザ以外のユーザの無線端末ＵＥによるホーム無線基地局ＨｅＮＢの利用への見返りとして、その期間での買い付け価格に応じた利用料が通信事業者から特定ユーザに支払われる。
【００３４】
（１．１．２）サーバ装置の構成
図３は、サーバ装置１００のブロック構成図である。
【００３５】
図３に示すように、サーバ装置１００は、ネットワーク通信部１１０、制御部１２０、及び記憶部１３０を有する。
【００３６】
ネットワーク通信部１１０は、ホーム無線基地局ＨｅＮＢや移動管理装置ＭＭＥとの通信を行う。制御部１２０は、例えばＣＰＵを用いて構成され、サーバ装置１００が具備する各種の機能を制御する。記憶部１３０は、例えばメモリを用いて構成され、サーバ装置１００の制御等に用いられる各種の情報を記憶する。
【００３７】
制御部１２０は、情報収集部１２１、情報解析部１２２、及び情報生成部１２３を有する。
【００３８】
情報収集部１２１は、ホーム無線基地局ＨｅＮＢの周辺にある公衆無線基地局ｅＮＢから、公衆無線基地局ｅＮＢの無線リソースの使用状況、具体的には、無線リソースの使用量（或いは使用率）、又は無線リソース残量を示すリソース使用情報を収集する。
【００３９】
情報解析部１２２は、情報収集部１２１によって収集されたリソース使用情報の統計解析（例えば公衆無線基地局ｅＮＢにおける無線リソース消費量の傾向予測や、複数の公衆無線基地局ｅＮＢそれぞれの無線リソース消費量の分布解析等）をすることによって、ホーム無線基地局ＨｅＮＢの無線リソースに対する現時点の需要を解析する。
【００４０】
情報生成部１２３は、情報解析部１２２による統計解析の結果に応じて買い付け価格情報を生成する。情報生成部１２３は、ホーム無線基地局ＨｅＮＢの無線リソースに対する現時点の需要が高いほど買い付け価格が高い値を示すように買い付け価格情報を生成する。
【００４１】
情報生成部１２３は、情報解析部１２２による統計解析の結果に応じて、アクセス制限を禁止する旨の情報を生成してもよい。例えば、情報生成部１２３は、公衆無線基地局ｅＮＢの無線リソースの残量が少なくなったときには、ホーム無線基地局ＨｅＮＢの無線リソースを第三者に開放する必要があるとみなし、アクセス制限を禁止する旨の情報を生成する。
【００４２】
また、情報生成部１２３は、情報解析部１２２による統計解析の結果に応じて、アクセス制限を強制する旨の情報をホーム無線基地局ＨｅＮＢに送信してもよい。例えば、情報生成部１２３は、公衆無線基地局ｅＮＢの無線リソースの残量が十分であるときには、ホーム無線基地局ＨｅＮＢの無線リソースを第三者に開放する必要がないとみなし、アクセス制限を強制する旨の情報を生成する。
【００４３】
ネットワーク通信部１１０は、情報生成部１２３によって生成された情報をホーム無線基地局ＨｅＮＢに送信する。なお、第１実施形態において、ネットワーク通信部１１０は、需要の高さに関する情報としての買い付け価格情報を送信する送信部に相当する。
【００４４】
（１．１．３）ホーム無線基地局の構成
図４は、ホーム無線基地局ＨｅＮＢのブロック構成図である。
【００４５】
図４に示すように、ホーム無線基地局ＨｅＮＢは、アンテナ部２０１、無線通信部２１０、制御部２２０、記憶部２３０、及びネットワーク通信部２４０を有する。
【００４６】
無線通信部２１０は、例えばＲＦ回路やベースバンドプロセッサ等を用いて構成され、アンテナ部２０１を介して無線信号の送受信を行う。また、無線通信部２１０は、送信信号の符号化及び変調と、受信信号の復調及び復号とを行う。
【００４７】
制御部２２０は、例えばＣＰＵを用いて構成され、ホーム無線基地局ＨｅＮＢが具備する各種の機能を制御する。記憶部２３０は、例えばメモリを用いて構成され、ホーム無線基地局ＨｅＮＢの制御等に用いられる各種の情報を記憶する。また、記憶部２３０は、特定ユーザによって設定されるアクセス制限解除条件及びアクセス制限開始条件を記憶する。
【００４８】
ネットワーク通信部２４０は、サーバ装置１００や移動管理装置ＭＭＥとの通信を行う。ネットワーク通信部２４０は、需要の高さに関する情報としての買い付け価格情報を受信する受信部に相当する。
【００４９】
制御部２２０は、条件判定部２２１及びアクセス種別切り替え部２２２を有する。
【００５０】
条件判定部２２１は、自局がアクセス制限を行っている場合（すなわち、自局のアクセス種別が“ｃｌｏｓｅｄ”である場合）には、ネットワーク通信部２４０が受信した買い付け価格情報が、特定ユーザによって設定されたアクセス制限解除条件を満たすか否かを判定する。また、条件判定部２２１は、自局がアクセス制限を行っていない場合（すなわち、自局のアクセス種別が”ｏｐｅｎ”（或いは“ｈｙｂｒｉｄ”）である場合）には、ネットワーク通信部２４０が受信した買い付け価格情報が、特定ユーザによって設定されたアクセス制限開始条件を満たすか否かを判定する。
【００５１】
アクセス制限解除条件及びアクセス制限開始条件は例えば同一の閾値とすることができる。この場合、条件判定部２２１は、買い付け価格情報に対応する買い付け価格が閾値を上回ったときにアクセス制限解除条件を満たすと判定し、買い付け価格情報に対応する買い付け価格が閾値を下回ったときにアクセス制限開始条件を満たすと判定する。
【００５２】
アクセス種別切り替え部２２２は、自局のアクセス種別が“ｃｌｏｓｅｄ”である場合に、買い付け価格情報がアクセス制限解除条件を満たすとき、自局のアクセス種別を“ｃｌｏｓｅｄ”から”ｏｐｅｎ”（或いは“ｈｙｂｒｉｄ”）に切り替える。一方、アクセス種別切り替え部２２２は、自局のアクセス種別が”ｏｐｅｎ”（或いは“ｈｙｂｒｉｄ”）である場合に、買い付け価格情報がアクセス制限開始条件を満たすとき、自局のアクセス種別を”ｏｐｅｎ”（或いは“ｈｙｂｒｉｄ”）から“ｃｌｏｓｅｄ”に切り替える。
【００５３】
また、アクセス種別切り替え部２２２は、自局のアクセス種別が“ｃｌｏｓｅｄ”である場合に、サーバ装置１００からアクセス制限を禁止する旨の情報を受信したとき、自局のアクセス種別を“ｃｌｏｓｅｄ”から”ｏｐｅｎ”（或いは“ｈｙｂｒｉｄ”）に切り替える。さらに、アクセス種別切り替え部２２２は、自局のアクセス種別が”ｏｐｅｎ”（或いは“ｈｙｂｒｉｄ”）である場合に、サーバ装置１００からアクセス制限を強制する旨の情報を受信したとき、自局のアクセス種別を”ｏｐｅｎ”（或いは“ｈｙｂｒｉｄ”）から“ｃｌｏｓｅｄ”に切り替える。
【００５４】
（１．２）第１実施形態に係る通信システムの動作
図５は、第１実施形態に係る通信システムの動作を示す動作シーケンス図である。
【００５５】
ステップＳ１０１において、公衆無線基地局ｅＮＢは、リソース使用情報をサーバ装置１００に送信する。サーバ装置１００のネットワーク通信部１１０は、リソース使用情報を受信する。サーバ装置１００の情報収集部１２１は、複数の公衆無線基地局ｅＮＢからのリソース使用情報を収集する。
【００５６】
ステップＳ１０２において、サーバ装置１００の情報解析部１２２は、情報収集部１２１が収集したリソース使用情報を解析する。
【００５７】
ステップＳ１０３において、サーバ装置１００の情報生成部１２３は、情報解析部１２２による解析の結果に応じて買い付け価格情報を生成する。
【００５８】
ステップＳ１０４において、サーバ装置１００のネットワーク通信部１１０は、買い付け価格情報をホーム無線基地局ＨｅＮＢに送信する。ホーム無線基地局ＨｅＮＢのネットワーク通信部２４０は、買い付け価格情報を受信する。
【００５９】
ステップＳ１０５において、ホーム無線基地局ＨｅＮＢの条件判定部２２１は、買い付け価格情報がアクセス制限解除条件又はアクセス制限開始条件を満たすか否かを判定する。
【００６０】
買い付け価格情報がアクセス制限解除条件又はアクセス制限開始条件を満たす場合（ステップＳ１０６；ＹＥＳ）、ステップＳ１０７において、ホーム無線基地局ＨｅＮＢのアクセス種別切り替え部２２２は、アクセス種別を”ｏｐｅｎ”（或いは“ｈｙｂｒｉｄ”）、又は“ｃｌｏｓｅｄ”に切り替える。
【００６１】
ステップＳ１０８において、ホーム無線基地局ＨｅＮＢのネットワーク通信部２４０は、アクセス種別を切り替えた旨の通知をサーバ装置１００及び移動管理装置ＭＭＥに送信する。
【００６２】
（１．３）具体例
次に、具体例を挙げて説明する。
【００６３】
第１に、ホーム無線基地局ＨｅＮＢが行楽地にあるケースを想定する。平日昼間などでは、周辺の公衆無線基地局ｅＮＢの無線リソース消費量が少なく、ホーム無線基地局ＨｅＮＢの無線リソースに対する需要が高くないため、通信事業者からの買い付け価格情報は低い値が示される。平日夕方や休日は、周辺の公衆無線基地局ｅＮＢの無線リソース消費量が多くなり、ホーム無線基地局ＨｅＮＢの無線リソースに対する需要が高くなるため、事業者からの買い付け価格情報は高い値が示される。
【００６４】
第２に、ホーム無線基地局ＨｅＮＢが住宅街にあるケースを想定する。平日昼間などでは、周辺の公衆無線基地局ｅＮＢの無線リソース消費量が少なく、ホーム無線基地局ＨｅＮＢの無線リソースに対する需要が高くないため、通信事業者からの買い付け価格情報は低い値が示される。平日深夜や休日は、周辺の公衆無線基地局ｅＮＢの無線リソース消費量が多くなり、ホーム無線基地局ＨｅＮＢの無線リソースに対する需要が高くなるため、事業者からの買い付け価格情報は高い値が示される。
【００６５】
（１．４）第１実施形態の効果
以上説明したように、第１実施形態によれば、特定ユーザが運用するホーム無線基地局ＨｅＮＢの無線リソースをその需要に応じて第三者に開放することができる。当該特定ユーザにとっては、ホーム無線基地局ＨｅＮＢの無線リソースを第三者に開放する見返りとして通信事業者から利用料を得ることができるため、ホーム無線基地局ＨｅＮＢの普及促進に繋がる。
【００６６】
また、公衆無線基地局ｅＮＢの無線リソース状況をサーバ装置１００が監視し、買い付け価格情報を適宜更新することにより、無線リソースの需要が時間や時期により大きく変動したりするエリアにおいて、ホーム無線基地局ＨｅＮＢの無線リソースをその需要が高いタイミングで第三者に開放することができる。
【００６７】
さらに、ホーム無線基地局ＨｅＮＢの無線リソースに対する需要が低いときには、ホーム無線基地局ＨｅＮＢのアクセス種別を“ｃｌｏｓｅｄ”とすることで、ホーム無線基地局ＨｅＮＢにアクセスする無線端末ＵＥの数を少なくすることができるため、ホーム無線基地局ＨｅＮＢと公衆無線基地局ｅＮＢとの間の基地局間干渉を低減できる。
【００６８】
第１実施形態では、ホーム無線基地局ＨｅＮＢを運用する特定ユーザがアクセス制限解除条件及びアクセス制限開始条件を設定可能であるため、当該特定ユーザの意志を反映させることができ、当該特定ユーザの利便性が損なわれる事態を回避できる。
【００６９】
（２）第２実施形態
次に、第２実施形態に係る通信システムを説明する。なお、以下の第２実施形態〜第４実施形態においては、第１実施形態と異なる点を主として説明し、重複する説明を省略する。
【００７０】
第２実施形態では、サーバ装置１００の情報生成部１２３は、ホーム無線基地局ＨｅＮＢの周辺で行われるイベントの情報に基づいて買い付け価格情報を生成する。具体的には、お正月や花火、お祭りの時に一時的に無線リソースの需要が高まる様なエリアがある。このようなエリアにあるホーム無線基地局ＨｅＮＢについては、無線リソースの需要が高まることを予測できるため、お正月や花火、お祭りの時に、買い付け価格情報が高い値を示すようにする。
【００７１】
（２．１）第２実施形態に係る通信システムの動作
図６は、第２実施形態に係る通信システムの動作を示す動作シーケンス図である。
【００７２】
ステップＳ２０１及びＳ２０２において、サーバ装置１００の情報生成部１２３は、記憶部１３０に予め記憶されているイベント情報を参照し、買い付け価格情報を生成する。
【００７３】
ステップＳ２０３において、サーバ装置１００のネットワーク通信部１１０は、買い付け価格情報をホーム無線基地局ＨｅＮＢに送信する。ホーム無線基地局ＨｅＮＢのネットワーク通信部２４０は、買い付け価格情報を受信する。
【００７４】
ステップＳ２０４において、ホーム無線基地局ＨｅＮＢの条件判定部２２１は、買い付け価格情報がアクセス制限解除条件又はアクセス制限開始条件を満たすか否かを判定する。
【００７５】
買い付け価格情報がアクセス制限解除条件又はアクセス制限開始条件を満たす場合（ステップＳ２０５；ＹＥＳ）、ステップＳ２０６において、ホーム無線基地局ＨｅＮＢのアクセス種別切り替え部２２２は、アクセス種別を”ｏｐｅｎ”（或いは“ｈｙｂｒｉｄ”）、又は“ｃｌｏｓｅｄ”に切り替える。
【００７６】
ステップＳ２０７において、ホーム無線基地局ＨｅＮＢのネットワーク通信部２４０は、アクセス種別を切り替えた旨の通知をサーバ装置１００及び移動管理装置ＭＭＥに送信する。
【００７７】
（２．２）第２実施形態の効果
以上説明したように、第２実施形態によれば、特定ユーザが運用するホーム無線基地局ＨｅＮＢの無線リソースをその需要に応じて第三者に開放することができる。当該特定ユーザにとっては、ホーム無線基地局ＨｅＮＢの無線リソースを第三者に開放する見返りとして通信事業者から利用料を得ることができるため、ホーム無線基地局ＨｅＮＢの普及促進に繋がる。
【００７８】
また、ホーム無線基地局ＨｅＮＢの無線リソースに対する需要が低いときには、ホーム無線基地局ＨｅＮＢのアクセス種別を“ｃｌｏｓｅｄ”とすることで、ホーム無線基地局ＨｅＮＢにアクセスする無線端末ＵＥの数を少なくすることができるため、ホーム無線基地局ＨｅＮＢと公衆無線基地局ｅＮＢとの間の基地局間干渉を低減できる。
【００７９】
さらに、ホーム無線基地局ＨｅＮＢを運用する特定ユーザがアクセス制限解除条件及びアクセス制限開始条件を設定可能とすることで、当該特定ユーザの意志を反映させることができ、当該特定ユーザの利便性が損なわれる事態を回避できる。
【００８０】
（３）第３実施形態
次に、第３実施形態に係る通信システムを説明する。第２実施形態では、ホーム無線基地局ＨｅＮＢの周辺の公衆無線基地局ｅＮＢは、需要の高さに関する情報としてのリソース使用情報を、移動管理装置ＭＭＥ経由（すなわち、Ｓ１インタフェース経由）で当該ホーム無線基地局ＨｅＮＢに送信する。第３実施形態において公衆無線基地局ｅＮＢはネットワーク装置を構成する。
【００８１】
多くの公衆無線基地局ｅＮＢの監視、及び多くのホーム無線基地局ＨｅＮＢの制御をサーバ装置側で集中して行うと、サーバ装置の負荷が高くなると考えられる。そこで、本実施形態では、基地局間で負荷分散を図り、第１実施形態及び第２実施形態で説明したサーバ装置を不要としている。
【００８２】
（３．１）第３実施形態に係る通信システムの動作
図７は、第３実施形態に係る通信システムの動作を示す動作シーケンス図である。
【００８３】
ステップＳ３０１において、公衆無線基地局ｅＮＢは、リソース使用情報を移動管理装置ＭＭＥに送信する。移動管理装置ＭＭＥはリソース使用情報を受信する。
【００８４】
ステップＳ３０２において、移動管理装置ＭＭＥは、公衆無線基地局ｅＮＢから受信したリソース使用情報をホーム無線基地局ＨｅＮＢに送信する。ホーム無線基地局ＨｅＮＢはリソース使用情報を受信する。
【００８５】
ステップＳ３０３において、ホーム無線基地局ＨｅＮＢの条件判定部２２１は、自局がアクセス制限を行っている場合（すなわち、自局のアクセス種別が“ｃｌｏｓｅｄ”である場合）には、ネットワーク通信部２４０が受信したリソース使用情報が、特定ユーザによって設定されたアクセス制限解除条件を満たすか否かを判定する。また、条件判定部２２１は、自局がアクセス制限を行っていない場合（すなわち、自局のアクセス種別が”ｏｐｅｎ”（或いは“ｈｙｂｒｉｄ”）である場合）には、ネットワーク通信部２４０が受信したリソース使用情報が、特定ユーザによって設定されたアクセス制限開始条件を満たすか否かを判定する。アクセス制限解除条件及びアクセス制限開始条件は例えば同一の閾値とすることができる。この場合、例えば、条件判定部２２１は、リソース使用情報に対応するリソース使用量（或いは使用率）が閾値を上回ったときにアクセス制限解除条件を満たすと判定し、リソース使用情報に対応するに対応するリソース使用量（或いは使用率）が閾値を下回ったときにアクセス制限開始条件を満たすと判定する。
【００８６】
リソース使用情報がアクセス制限解除条件又はアクセス制限開始条件を満たす場合（ステップＳ３０４；ＹＥＳ）、ステップＳ３０５において、ホーム無線基地局ＨｅＮＢのアクセス種別切り替え部２２２は、アクセス種別を”ｏｐｅｎ”（或いは“ｈｙｂｒｉｄ”）、又は“ｃｌｏｓｅｄ”に切り替える。
【００８７】
ステップＳ３０６において、ホーム無線基地局ＨｅＮＢのネットワーク通信部２４０は、アクセス種別を切り替えた旨の通知を移動管理装置ＭＭＥに送信する。
【００８８】
（３．２）第３実施形態の効果
以上説明したように、第３実施形態によれば、特定ユーザが運用するホーム無線基地局ＨｅＮＢの無線リソースをその需要に応じて第三者に開放することができる。当該特定ユーザにとっては、ホーム無線基地局ＨｅＮＢの無線リソースを第三者に開放する見返りとして通信事業者から利用料を得ることができるため、ホーム無線基地局ＨｅＮＢの普及促進に繋がる。
【００８９】
また、ホーム無線基地局ＨｅＮＢの無線リソースに対する需要が低いときには、ホーム無線基地局ＨｅＮＢのアクセス種別を“ｃｌｏｓｅｄ”とすることで、ホーム無線基地局ＨｅＮＢにアクセスする無線端末ＵＥの数を少なくすることができるため、ホーム無線基地局ＨｅＮＢと公衆無線基地局ｅＮＢとの間の基地局間干渉を低減できる。
【００９０】
さらに、ホーム無線基地局ＨｅＮＢを運用する特定ユーザがアクセス制限解除条件及びアクセス制限開始条件を設定可能とすることで、当該特定ユーザの意志を反映させることができ、当該特定ユーザの利便性が損なわれる事態を回避できる。また、第３実施形態によれば、基地局間で負荷が分散されることにより、サーバ装置に負荷が集中する事態を回避できる。
【００９１】
（４）第４実施形態
次に、第４実施形態に係る通信システムを説明する。上述した各実施形態においては、ホーム無線基地局ＨｅＮＢがＸ２インタフェースを利用できないものとして説明したが、将来的には、ホーム無線基地局ＨｅＮＢがＸ２インタフェースを利用可能な仕様となることも想定される。よって、第４実施形態では、第３実施形態で移動管理装置ＭＭＥ経由で送信されていたリソース使用情報を、公衆無線基地局ｅＮＢからホーム無線基地局ＨｅＮＢに直接的に送信するものとする。
【００９２】
（４．１）第４実施形態に係る通信システムの動作
図８は、第４実施形態に係る通信システムの動作を示す動作シーケンス図である。
【００９３】
ステップＳ４０１において、公衆無線基地局ｅＮＢは、リソース使用情報をホーム無線基地局ＨｅＮＢに送信する。ホーム無線基地局ＨｅＮＢはリソース使用情報を受信する。
【００９４】
ステップＳ４０２において、ホーム無線基地局ＨｅＮＢの条件判定部２２１は、自局がアクセス制限を行っている場合（すなわち、自局のアクセス種別が“ｃｌｏｓｅｄ”である場合）には、ネットワーク通信部２４０が受信したリソース使用情報が、特定ユーザによって設定されたアクセス制限解除条件を満たすか否かを判定する。また、条件判定部２２１は、自局がアクセス制限を行っていない場合（すなわち、自局のアクセス種別が”ｏｐｅｎ”（或いは“ｈｙｂｒｉｄ”）である場合）には、ネットワーク通信部２４０が受信したリソース使用情報が、特定ユーザによって設定されたアクセス制限開始条件を満たすか否かを判定する。アクセス制限解除条件及びアクセス制限開始条件は例えば同一の閾値とすることができる。この場合、例えば、条件判定部２２１は、リソース使用情報に対応するリソース使用量（或いは使用率）が閾値を上回ったときにアクセス制限解除条件を満たすと判定し、リソース使用情報に対応するに対応するリソース使用量（或いは使用率）が閾値を下回ったときにアクセス制限開始条件を満たすと判定する。
【００９５】
リソース使用情報がアクセス制限解除条件又はアクセス制限開始条件を満たす場合（ステップＳ４０３；ＹＥＳ）、ステップＳ４０４において、ホーム無線基地局ＨｅＮＢのアクセス種別切り替え部２２２は、アクセス種別を”ｏｐｅｎ”（或いは“ｈｙｂｒｉｄ”）、又は“ｃｌｏｓｅｄ”に切り替える。
【００９６】
ステップＳ４０５において、ホーム無線基地局ＨｅＮＢのネットワーク通信部２４０は、アクセス種別を切り替えた旨の通知を移動管理装置ＭＭＥに送信する。
【００９７】
（４．２）第４実施形態の効果
第４実施形態によれば、第３実施形態で得られる効果に加えて、次のような効果が得られる。具体的には、移動管理装置ＭＭＥの負荷及びＳ１インタフェースのトラフィック量を第３実施形態よりも削減できる。
【００９８】
（５）その他の実施形態
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【００９９】
上述した各実施形態は、別個独立して実施する場合に限らず、互いに組み合わせて実施してもよい。一例として、図９は、第２実施形態と第４実施形態とを組み合わせた場合の通信システムの動作を示す動作シーケンス図である。図９に示す動作シーケンスでは、リソース使用情報及び買い付け価格情報の何れも需要の高さに関する情報に相当し、公衆無線基地局ｅＮＢ及びサーバ装置１００の何れもネットワーク装置に相当する。
【０１００】
さらに、上述した各実施形態に係るホーム無線基地局ＨｅＮＢに代えて、フェムトセルよりも大きいセルであってマクロセルよりも小さいセルであるピコセルを形成するピコセル基地局（ホットゾーン・ノードとも称される）を使用してもよい。ピコセル基地局はＸ２インタフェースを利用可能であるため、上述した第４実施形態に好適である。
【０１０１】
上述した各実施形態に係るアクセス種別の切り替え方法に加えて、ホーム無線基地局ＨｅＮＢを運用する特定ユーザの予定又は現在の状況をホーム無線基地局ＨｅＮＢが把握できる場合には、当該特定ユーザの予定又は現在の状況を考慮してもよい。例えば、平日深夜や休日で、当該所有者が就寝中であったり外出中であったりした場合は、ホーム無線基地局ＨｅＮＢのアクセス種別を“ｏｐｅｎ”としてもよい。
【０１０２】
なお、ＬＴＥ  Ａｄｖａｎｃｅｄにおいては、バックホールを無線により構成する無線基地局であるリレーノードの採用が予定され、且つリレーノードにもＸ２インタフェースが採用される予定であるため、当該リレーノードを本発明に係る無線基地局としてもよい。
【０１０３】
さらに、上述した実施形態では、ＬＴＥシステムについて説明したが、モバイルＷｉＭＡＸ（ＩＥＥＥ ８０２．１６ｅ）に基づく通信システム等、他の通信システムに対して本発明を適用してもよい。
【０１０４】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１０５】
ＨｅＮＢ…ホーム無線基地局、ＭＭＥ…移動管理装置、ＵＥ…無線端末、ｅＮＢ…公衆無線基地局、５０…コアネットワーク、１００…サーバ装置、１１０…ネットワーク通信部、１２０…制御部、１２１…情報収集部、１２２…情報解析部、１２３…情報生成部、１３０…記憶部、２０１…アンテナ部、２１０…無線通信部、２２０…制御部、２２１…条件判定部、２２２…アクセス種別切り替え部、２３０…記憶部、２４０…ネットワーク通信部
【図１】
0005520681.tif 000002
【図２】
0005520681.tif 000003
【図３】
0005520681.tif 000004
【図４】
0005520681.tif 000005
【図５】
0005520681.tif 000006
【図６】
0005520681.tif 000007
【図７】
0005520681.tif 000008
【図８】
0005520681.tif 000009
【図９】
0005520681.tif 000010